(57)【要約】【課題】複数系統の非圧縮映像信号をシリアル信号に多重化する際に、非圧縮映像信号の系統数が減少した場合、無線伝送における単位周波数あたりの伝送効率の低下を抑制する。【解決手段】実施例１の多重装置１−１において、信号判定部１１は、非圧縮映像信号１〜４が存在するか否かを判定し、チャンネル毎の入力有無情報を生成する。制御部１２−１は、予め設定された多重方式情報及び入力有無情報に基づいて、入力信号数に比例したボーレートを決定する。多重処理部１４−１は、非圧縮映像信号１〜４のうち入力有無情報が示す非圧縮映像信号を入力してメモリに格納し、多重方式情報に従って、メモリから非圧縮映像信号を読み出し、スタッフィングデータを付加することなくこれらを多重化し、制御部１２−１により決定されたボーレートのシリアル信号を生成する。【選択図】図２
2016076901.tif 000002
【特許請求の範囲】
【請求項１】
複数の系統の非圧縮映像信号を多重化してシリアル信号を生成し、前記シリアル信号を、当該シリアル信号の伝送レートに応じて周波数帯域幅が変化する無線機へ出力する非圧縮映像信号多重装置において、
前記複数の系統のそれぞれについて、前記非圧縮映像信号の入力が有るか無いかを判定し、前記系統毎の入力有無情報を生成する信号判定部と、
前記信号判定部により生成された前記系統毎の入力有無情報に基づいて、前記入力有無情報が入力有りを示す非圧縮映像信号の数を入力信号数として求め、前記入力信号数、及び予め設定された前記多重化の方式が定義された多重方式情報に基づいて、前記シリアル信号の伝送レートを決定する制御部と、
前記複数の系統の非圧縮映像信号のうち、前記信号判定部により生成された前記系統毎の入力有無情報が入力有りを示す非圧縮映像信号を入力し、前記多重方式情報に従って、前記入力した非圧縮映像信号を多重化し、前記制御部により決定された伝送レートの前記シリアル信号を生成する多重処理部と、
を備えたことを特徴とする非圧縮映像信号多重装置。
【請求項２】
請求項１に記載の非圧縮映像信号多重装置において、
前記制御部は、
前記入力信号数が減少した場合、前記シリアル信号の伝送レートが低下するように前記伝送レートを決定する、ことを特徴とする非圧縮映像信号多重装置。
【請求項３】
請求項１に記載の非圧縮映像信号多重装置において、
前記制御部は、
前記入力信号数が最大のときに決定した前記伝送レートを、前記入力信号数に関わることなく、常に一定の前記シリアル信号の伝送レートとして決定し、
前記多重処理部は、
前記複数の系統の非圧縮映像信号のうち、前記信号判定部により生成された前記系統毎の入力有無情報が入力有りを示す非圧縮映像信号を入力し、前記多重方式情報に従って、前記入力した非圧縮映像信号を重複して多重化し、前記制御部により決定された伝送レートの前記シリアル信号を生成する、ことを特徴とする非圧縮映像信号多重装置。
【請求項４】
請求項１から３までのいずれか一項に記載の非圧縮映像信号多重装置において、
さらに、第１のインターリーブ回路を備え、前記非圧縮映像信号は複数のラインにより構成され、前記ラインは複数のデータにより構成され、
前記第１のインターリーブ回路は、
前記複数の系統の非圧縮映像信号について、同一の前記系統内にて、前記ラインに含まれるデータを異なるラインに配置するインターリーブを行い、
前記多重処理部は、
前記第１のインターリーブ回路によりインターリーブが行われた前記複数の系統の非圧縮映像信号のうち、前記信号判定部により生成された前記系統毎の入力有無情報が入力有りを示す非圧縮映像信号を入力し、前記多重方式情報に従って、前記入力した非圧縮映像信号を多重化し、前記制御部により決定された伝送レートの前記シリアル信号を生成する、ことを特徴とする非圧縮映像信号多重装置。
【請求項５】
請求項１から３までのいずれか一項に記載の非圧縮映像信号多重装置において、
さらに、第２のインターリーブ回路を備え、前記非圧縮映像信号は複数のラインにより構成され、前記ラインは複数のデータにより構成され、
前記第２のインターリーブ回路は、
前記多重処理部により生成されたシリアル信号に含まれる各系統の非圧縮映像信号について、前記系統の非圧縮映像信号のラインに含まれるデータを、当該データの系統とは異なる系統に配置するインターリーブを行い、前記インターリーブを行った後のシリアル信号を前記無線機へ出力する、ことを特徴とする非圧縮映像信号多重装置。
【請求項６】
請求項１から３までのいずれか一項に記載の非圧縮映像信号多重装置において、
前記非圧縮映像信号は複数のラインにより構成され、前記ラインは複数のデータにより構成され、
前記多重処理部は、
前記複数の系統の非圧縮映像信号のうち、前記信号判定部により生成された前記系統毎の入力有無情報が入力有りを示す非圧縮映像信号を入力し、前記多重方式情報に従って、前記入力した各系統の非圧縮映像信号について、前記系統の非圧縮映像信号のラインに含まれるデータを、当該データの系統とは異なる系統に配置するように多重化し、前記制御部により決定された伝送レートの前記シリアル信号を生成する、ことを特徴とする非圧縮映像信号多重装置。
【請求項７】
請求項１から３までのいずれか一項に記載の非圧縮映像信号多重装置において、
さらに、第１のインターリーブ回路及び第２のインターリーブ回路を備え、前記非圧縮映像信号は複数のラインにより構成され、前記ラインは複数のデータにより構成され、
前記第１のインターリーブ回路は、
前記複数の系統の非圧縮映像信号について、同一の前記系統内にて、前記ラインに含まれるデータを異なるラインに配置するインターリーブを行い、
前記多重処理部は、
前記第１のインターリーブ回路によりインターリーブが行われた前記複数の系統の非圧縮映像信号のうち、前記信号判定部により生成された前記系統毎の入力有無情報が入力有りを示す非圧縮映像信号を入力し、前記多重方式情報に従って、前記入力した非圧縮映像信号を多重化し、前記制御部により決定された伝送レートの前記シリアル信号を生成し、
前記第２のインターリーブ回路は、
前記多重処理部により生成されたシリアル信号に含まれる各系統の非圧縮映像信号について、前記系統の非圧縮映像信号のラインに含まれるデータを、当該データの系統とは異なる系統に配置するインターリーブを行い、前記インターリーブを行った後のシリアル信号を前記無線機へ出力する、ことを特徴とする非圧縮映像信号多重装置。
【請求項８】
請求項１から３までのいずれか一項に記載の非圧縮映像信号多重装置において、
さらに、第１のインターリーブ回路を備え、前記非圧縮映像信号は複数のラインにより構成され、前記ラインは複数のデータにより構成され、
前記第１のインターリーブ回路は、
前記複数の系統の非圧縮映像信号について、同一の前記系統内にて、前記ラインに含まれるデータを異なるラインに配置するインターリーブを行い、
前記多重処理部は、
前記第１のインターリーブ回路によりインターリーブが行われた前記複数の系統の非圧縮映像信号のうち、前記信号判定部により生成された前記系統毎の入力有無情報が入力有りを示す非圧縮映像信号を入力し、前記多重方式情報に従って、前記入力した各系統の非圧縮映像信号について、前記系統の非圧縮映像信号のラインに含まれるデータを、当該データの系統とは異なる系統に配置するように多重化し、前記制御部により決定された伝送レートの前記シリアル信号を生成する、ことを特徴とする非圧縮映像信号多重装置。
【発明の詳細な説明】
【技術分野】
【０００１】
本発明は、複数系統の非圧縮映像信号をシリアル信号に多重化する非圧縮映像信号多重装置に関する。
【背景技術】
【０００２】
従来、複数系統の非圧縮映像信号を多重化し、シリアル信号を生成して出力する非圧縮映像信号多重装置（以下、多重装置という。）が知られている。この多重装置には無線機が接続され、ＨＤ−ＳＤＩ信号等の非圧縮映像信号がシリアル信号として、無線機から無線伝送される。
【０００３】
図１９は、多重装置の入出力信号を説明する図である。この多重装置１００には、図示しないカメラ等の映像機器及び無線機が接続される。多重装置１００は、映像機器からｎ系統のカメラ映像信号等の非圧縮映像信号を入力し、ｎ系統の非圧縮映像信号を多重化してｍ系統のシリアル信号を生成し、ｍ系統のシリアル信号を無線機へ出力する。例えば、多重装置１００は、スーパーハイビジョンの１６系統のＨＤ−ＳＤＩ信号を入力して多重化し、１系統または２系統のシリアル信号を生成して出力する。
【０００４】
多重装置１００は、ｎ系統の非圧縮映像信号を入力する入力インターフェース（ｎ＞１）、及びｍ系統のシリアル信号を出力する出力インターフェース（ｍ≧１，ｎ＞ｍ）を備えている。ｎ，ｍは、いずれも正の整数である。多重装置１００は、複数の非圧縮映像信号の同時送信、または、１系統の非圧縮映像信号で伝送可能なビットレート以上の大容量の映像データの無線伝送に適する。
【０００５】
入力信号である非圧縮映像信号の伝送レート（ビットレート）が全て同一のｓ［ｂｐｓ］であるとすると、ｎ系統の入力信号のトータルのビットレートはｎ×ｓ［ｂｐｓ］であることから、シリアル信号１系統あたりのビットレートはｎ／ｍ×ｓ［ｂｐｓ］となる。シリアル化によりビットレートは高くなるが、近年、ミリ波帯等を利用した大容量の無線伝送装置の開発事例も報告されており、複数系統の非圧縮映像信号を伝送可能な環境が整いつつある。
【０００６】
図２０は、４系統（ｎ＝４）の非圧縮映像信号を入力し、１系統（ｍ＝１）のシリアル信号に多重化する多重装置１００の入出力信号を説明する図である。図２０では、シリアル信号のビットレートは、非圧縮映像信号の４倍となる。非圧縮映像信号が１．５ＧｂｐｓのＨＤ−ＳＤＩ信号であるとすると、シリアル信号のビットレートは１．５×４＝６Ｇｂｐｓとなる。
【０００７】
ここで、多重化とは、複数系統の入力信号をシリアル化して合成し、入力信号よりも高いビットレートの出力信号を生成する処理をいう。多重化により、出力信号の系統数を入力信号よりも減らすことができる。
【０００８】
図２１は、図２０に示したｎ＝４，ｍ＝１の場合の入出力信号を詳細に説明する図である。多重装置１００が入力する４系統（ｎ＝４）の非圧縮映像信号１〜４におけるそれぞれのフレームは、１ライン目の信号、２ライン目の信号、・・・、及びｘライン目の信号により構成される。ｘは１以上の正の整数であり、例えばＨＤ−ＳＤＩ信号（ＳＭＰＴＥ２９２Ｍ）では１１２５である。多重装置１００は、１系統目の非圧縮映像信号１を入力する際に、フレーム毎に、１ライン目の信号からｘライン目の信号まで順番に入力する。２〜４系統目の非圧縮映像信号２〜４についても同様である。
【０００９】
多重装置１００は、非圧縮映像信号１〜４のそれぞれについて、フレーム毎に、１ライン目の信号からｘライン目の信号まで順番に入力する。そして、多重装置１００は、非圧縮映像信号１〜４が全て同一のビットレートｓ［ｂｐｓ］の信号である場合、４×ｓ［ｂｐｓ］のシリアル信号を生成するためのタイミングを定めるクロックを用いて、非圧縮映像信号１〜４を多重化し多重フレームを構成し、４×ｓ［ｂｐｓ］のシリアル信号を生成する。４×ｓ［ｂｐｓ］のシリアル信号は、後段の無線機へ出力される。例えば、多重装置１００は、非圧縮映像信号１〜４が全て同一の１．５ＧｂｐｓのＨＤ−ＳＤＩ信号である場合、所定のクロックを用いて、４×１．５＝６Ｇｂｐｓのシリアル信号を生成する。
【００１０】
図２２は、シリアル信号の例を説明する図である。図２２（ａ）は、フレームベースの多重化により生成されたシリアル信号の例であり、図２２（ｂ）は、ラインベースの多重化により生成されたシリアル信号の例である。
【００１１】
図２２（ａ）に示すように、多重装置１００は、フレームベースで多重化する多重方式の場合、非圧縮映像信号１〜４のフレームを単位として多重化し、１ライン目の信号、２ライン目の信号、・・・、及びｘライン目の信号により構成される非圧縮映像信号１〜４のフレームを順番に並べたシリアル信号を生成する。
【００１２】
また、図２２（ｂ）に示すように、多重装置１００は、ラインベースで多重化する多重方式の場合、非圧縮映像信号１〜４のフレームを構成するラインを単位として多重化し、１ライン目の信号について、非圧縮映像信号１〜４を順番に並べ、同様に、２ライン目からｘライン目までの信号について、非圧縮映像信号１〜４を順番に並べることで、シリアル信号を生成する。
【００１３】
このようにして生成されたシリアル信号は、非圧縮映像信号１〜４が全て同一のビットレートｓ［ｂｐｓ］の信号である場合、４×ｓ［ｂｐｓ］のシリアル信号として、後段の無線機へ出力される。
【００１４】
尚、多重装置１００は、４系統の非圧縮映像信号１〜４のうちいずれかの信号を入力しない場合（４系統の非圧縮映像信号１〜４のうち３系統の信号を入力する場合）であっても、同じ４×ｓ［ｂｐｓ］のシリアル信号を生成し、後段の無線機へ出力する。つまり、図１９の場合、多重装置１００は、ｎ系統の非圧縮映像信号のうち１以上の系統の非圧縮映像信号を入力しない場合（ｎ系統の非圧縮映像信号のうちｎ−１以下の信号を入力する場合）であっても、ｍ系統のシリアル信号のそれぞれについて、ｎ／ｍ×ｓ［ｂｐｓ］のシリアル信号を生成し、後段の無線機へ出力する。つまり、シリアル信号のビットレートは、多重装置１００に入力される非圧縮映像信号の最大の系統数（予め設定された系統数）によって一義的に決定される。その後、非圧縮映像信号の系統数が減ったとしても、シリアル信号のビットレートは、常に同じである。
【００１５】
多重装置１００の後段に接続された無線機は、例えばシングルキャリアの無線機である。この無線機は、多重装置１００により生成されたシリアル信号を入力し、シリアル信号に変調処理を施し、変調信号を所定の中心周波数ｆｃにて周波数変換し、周波数変換後の信号を無線伝送する。
【００１６】
ここで、無線伝送される信号の周波数帯域幅は、無線機が入力するシリアル信号のビットレートに応じた幅となる。周波数帯域幅は、シリアル信号のビットレートが低くなると狭くなり、シリアル信号のビットレートが高くなると広くなる。
【００１７】
このように、無線機は、図１９の場合、常に一定のｎ／ｍ×ｓ［ｂｐｓ］のシリアル信号を入力し、図２０〜図２２の場合、常に一定の４×ｓ［ｂｐｓ］のシリアル信号を入力する。そして、無線機は、常に一定の周波数帯域幅の信号を無線伝送する。
【００１８】
図１９及び図２０に示した多重装置１００は、多重化により、常に一定のボーレートのシリアル信号を生成するが、可変のボーレートのシリアル信号を生成する手法も提案されている（例えば、特許文献１を参照）。この手法は、所定の伝送路の仕様に適用するシリアル信号を生成するために、「０」のような擬似データ、または非圧縮映像信号とは直接関係しないデータを付加することで、シリアル信号のボーレートを変更するものである。
【００１９】
ところで、非圧縮映像信号は、通常、伝送時のビットエラーを想定していないため、無線伝送による伝送誤りに対する耐性を有していない。例えば、非圧縮映像信号がＨＤ−ＳＤＩ信号の場合、標準的なケーブルにてＨＤ−ＳＤＩ信号を伝送すると、ＢＥＲ（ビット誤り率）は１０-10以下となる。
【００２０】
このため、非圧縮映像信号の伝送時に、ランダム誤りが発生したり、バースト誤りが発生したりして、受信品質が低下する可能性があることから、ノイズ対策が必要になる。例えば、ランダム誤りに対応するために、ＨＤ−ＳＤＩ信号の補助データ領域に誤り訂正符号を格納することにより、データを増加させることなく誤り訂正を実現する手法が提案されている（例えば、特許文献２を参照）。また、バースト誤りに対応するために、１ストリームのデータを固定長に分割して誤り訂正を行い、さらにデータの並び替えを行う手法も提案されている（例えば、特許文献３を参照）。
【先行技術文献】
【特許文献】
【００２１】
【特許文献１】特許第５１９２９９６号公報
【特許文献２】特許第４８０３７５２号公報
【特許文献３】特開平１０−１９１２７２号公報
【発明の概要】
【発明が解決しようとする課題】
【００２２】
前述のとおり、多重装置１００及び無線機においては、無線伝送される信号の周波数帯域幅は、多重装置１００が入力する非圧縮映像信号の系統数に関わらず一定である。また、入力する非圧縮映像信号の数が減少し、入力信号全体のビットレートが低下した場合であっても、装置構成の簡略化や処理の簡便性、誤り訂正能力の向上等の理由で、シリアル信号のビットレートを変えることなく固定とし、同じ周波数帯域幅にて無線伝送が行われる。
【００２３】
一般に、無線伝送においては、周波数帯域幅を固定し、変調方式等を変化させることにより、伝送レートを可変することが行われる。この伝送方式は、入力信号である非圧縮映像信号の数がある程度決められている場合に有効である。しかし、非圧縮映像信号の数またはそのビットレートが自由に選択できる場合には、後述する図２３に示すように、スタッフィングデータ等によって伝送レートの調整が必要になる。したがって、入力する非圧縮映像信号の数が減少し、入力信号全体のビットレートが低下した場合には、前記伝送方式は適さない。また、無線伝送するデータのビットレートが高くなるほど、振幅と位相を複雑に調整する変調方式を用いることは難しくなる。変調多値数が少ない変調方式しか選択できないことは、伝送レートを可変することができないことを意味し、この場合にも、前記伝送方式は適さない。
【００２４】
図２３は、ビットレートを固定した従来の伝送方式を説明する図である。４系統の非圧縮映像信号１〜４を入力する多重装置１００は、非圧縮映像信号３，４が存在しない場合、２系統の非圧縮映像信号１，２のみを入力する。
【００２５】
多重装置１００は、非圧縮映像信号１，２をフレームベースで多重化する際に、４×ｓ［ｂｐｓ］のシリアル信号を生成するためのタイミングを定めるクロックを用いて、非圧縮映像信号１，２のフレームを単位として多重化し、１ライン目の信号、２ライン目の信号、・・・、及びｘライン目の信号により構成される非圧縮映像信号１，２のフレームを順番に並べ、さらに、非圧縮映像信号３，４のフレームの代わりにスタッフィングデータを並べたシリアル信号を生成する。
【００２６】
これにより、２系統の非圧縮映像信号１，２が入力された場合、非圧縮映像信号１，２が多重化され、さらにスタッフィングデータが付加された多重フレームが構成され、４×ｓ［ｂｐｓ］のシリアル信号が生成される。このシリアル信号のビットレートは、４系統の非圧縮映像信号１〜４が入力された場合と同じである。
【００２７】
無線機は、多重装置１００から、非圧縮映像信号１，２が多重化されスタッフィングデータが付加されたシリアル信号を入力し、変調処理等を施した後に、変調信号を所定の中心周波数ｆｃにて周波数変換し、周波数変換後の信号を無線伝送する。この場合の周波数帯域幅は、非圧縮映像信号１〜４が多重化されたシリアル信号を入力した場合と同じ帯域幅である。
【００２８】
ここで、スタッフィングデータは、映像信号とは無関係のデータである。このため、スタッフィングデータがシリアル信号に付加されることにより、無線伝送において、単位周波数あたりのビットレートが低下し、伝送効率が下がるという問題があった。
【００２９】
一方で、通常の無線伝送においては、送信電力及び変調方式等が同一である場合、周波数帯域幅が狭い方が所要Ｃ／Ｎ（Carrier to Noise Ratio）等の観点で有利であることが知られている。言い換えると、周波数帯域幅が狭いほど、所要Ｃ／Ｎが小さくなり、より長距離の無線伝送が可能になる等の伝送特性が向上する。
【００３０】
このような通常の無線伝送における周波数帯域幅と伝送特性の関係に鑑み、非圧縮映像信号の系統数が減少した場合に、その系統数に見合った伝送特性を実現すると共に、単位周波数あたりの伝送効率を低下させない仕組みが所望されていた。
【００３１】
そこで、本発明は前記課題を解決するためになされたものであり、その目的は、複数系統の非圧縮映像信号をシリアル信号に多重化する際に、非圧縮映像信号の系統数が減少した場合、無線伝送における単位周波数あたりの伝送効率の低下を抑制可能な非圧縮映像信号多重装置を提供することにある。
【課題を解決するための手段】
【００３２】
前記目的を達成するために、本発明による非圧縮映像信号多重装置は、複数の系統の非圧縮映像信号を多重化してシリアル信号を生成し、前記シリアル信号を、当該シリアル信号の伝送レートに応じて周波数帯域幅が変化する無線機へ出力する非圧縮映像信号多重装置において、前記複数の系統のそれぞれについて、前記非圧縮映像信号の入力が有るか無いかを判定し、前記系統毎の入力有無情報を生成する信号判定部と、前記信号判定部により生成された前記系統毎の入力有無情報に基づいて、前記入力有無情報が入力有りを示す非圧縮映像信号の数を入力信号数として求め、前記入力信号数、及び予め設定された前記多重化の方式が定義された多重方式情報に基づいて、前記シリアル信号の伝送レートを決定する制御部と、前記複数の系統の非圧縮映像信号のうち、前記信号判定部により生成された前記系統毎の入力有無情報が入力有りを示す非圧縮映像信号を入力し、前記多重方式情報に従って、前記入力した非圧縮映像信号を多重化し、前記制御部により決定された伝送レートの前記シリアル信号を生成する多重処理部と、を備えたことを特徴とする。
【００３３】
また、本発明による非圧縮映像信号多重装置は、前記制御部が、前記入力信号数が減少した場合、前記シリアル信号の伝送レートが低下するように前記伝送レートを決定する、ことを特徴とする。
【００３４】
また、本発明による非圧縮映像信号多重装置は、前記制御部が、前記入力信号数が最大のときに決定した前記伝送レートを、前記入力信号数に関わることなく、常に一定の前記シリアル信号の伝送レートとして決定し、前記多重処理部が、前記複数の系統の非圧縮映像信号のうち、前記信号判定部により生成された前記系統毎の入力有無情報が入力有りを示す非圧縮映像信号を入力し、前記多重方式情報に従って、前記入力した非圧縮映像信号を重複して多重化し、前記制御部により決定された伝送レートの前記シリアル信号を生成する、ことを特徴とする。
【００３５】
また、本発明による非圧縮映像信号多重装置は、さらに、第１のインターリーブ回路を備え、前記非圧縮映像信号が複数のラインにより構成され、前記ラインが複数のデータにより構成され、前記第１のインターリーブ回路が、前記複数の系統の非圧縮映像信号について、同一の前記系統内にて、前記ラインに含まれるデータを異なるラインに配置するインターリーブを行い、前記多重処理部が、前記第１のインターリーブ回路によりインターリーブが行われた前記複数の系統の非圧縮映像信号のうち、前記信号判定部により生成された前記系統毎の入力有無情報が入力有りを示す非圧縮映像信号を入力し、前記多重方式情報に従って、前記入力した非圧縮映像信号を多重化し、前記制御部により決定された伝送レートの前記シリアル信号を生成する、ことを特徴とする。
【００３６】
また、本発明による非圧縮映像信号多重装置は、さらに、第２のインターリーブ回路を備え、前記非圧縮映像信号が複数のラインにより構成され、前記ラインが複数のデータにより構成され、前記第２のインターリーブ回路が、前記多重処理部により生成されたシリアル信号に含まれる各系統の非圧縮映像信号について、前記系統の非圧縮映像信号のラインに含まれるデータを、当該データの系統とは異なる系統に配置するインターリーブを行い、前記インターリーブを行った後のシリアル信号を前記無線機へ出力する、ことを特徴とする。
【００３７】
また、本発明による非圧縮映像信号多重装置は、前記非圧縮映像信号が複数のラインにより構成され、前記ラインが複数のデータにより構成され、前記多重処理部が、前記複数の系統の非圧縮映像信号のうち、前記信号判定部により生成された前記系統毎の入力有無情報が入力有りを示す非圧縮映像信号を入力し、前記多重方式情報に従って、前記入力した各系統の非圧縮映像信号について、前記系統の非圧縮映像信号のラインに含まれるデータを、当該データの系統とは異なる系統に配置するように多重化し、前記制御部により決定された伝送レートの前記シリアル信号を生成する、ことを特徴とする。
【００３８】
また、本発明による非圧縮映像信号多重装置は、さらに、第１のインターリーブ回路及び第２のインターリーブ回路を備え、前記非圧縮映像信号が複数のラインにより構成され、前記ラインが複数のデータにより構成され、前記第１のインターリーブ回路が、前記複数の系統の非圧縮映像信号について、同一の前記系統内にて、前記ラインに含まれるデータを異なるラインに配置するインターリーブを行い、前記多重処理部が、前記第１のインターリーブ回路によりインターリーブが行われた前記複数の系統の非圧縮映像信号のうち、前記信号判定部により生成された前記系統毎の入力有無情報が入力有りを示す非圧縮映像信号を入力し、前記多重方式情報に従って、前記入力した非圧縮映像信号を多重化し、前記制御部により決定された伝送レートの前記シリアル信号を生成し、前記第２のインターリーブ回路が、前記多重処理部により生成されたシリアル信号に含まれる各系統の非圧縮映像信号について、前記系統の非圧縮映像信号のラインに含まれるデータを、当該データの系統とは異なる系統に配置するインターリーブを行い、前記インターリーブを行った後のシリアル信号を前記無線機へ出力する、ことを特徴とする。
【００３９】
また、本発明による非圧縮映像信号多重装置は、さらに、第１のインターリーブ回路を備え、前記非圧縮映像信号が複数のラインにより構成され、前記ラインが複数のデータにより構成され、前記第１のインターリーブ回路が、前記複数の系統の非圧縮映像信号について、同一の前記系統内にて、前記ラインに含まれるデータを異なるラインに配置するインターリーブを行い、前記多重処理部が、前記第１のインターリーブ回路によりインターリーブが行われた前記複数の系統の非圧縮映像信号のうち、前記信号判定部により生成された前記系統毎の入力有無情報が入力有りを示す非圧縮映像信号を入力し、前記多重方式情報に従って、前記入力した各系統の非圧縮映像信号について、前記系統の非圧縮映像信号のラインに含まれるデータを、当該データの系統とは異なる系統に配置するように多重化し、前記制御部により決定された伝送レートの前記シリアル信号を生成する、ことを特徴とする。
【発明の効果】
【００４０】
以上のように、本発明によれば、複数系統の非圧縮映像信号をシリアル信号に多重化する際に、非圧縮映像信号の系統数が減少した場合、無線伝送における単位周波数あたりの伝送効率の低下を抑制することができる。したがって、非圧縮映像信号の系統数に関わらず、効率的な伝送を実現することが可能となる。
【図面の簡単な説明】
【００４１】
【図１】本発明の実施形態による多重装置を含む伝送システムの構成を示す概略図である。
【図２】本発明の第１，２の実施形態（実施例１，２）による多重装置の構成を示すブロック図である。
【図３】信号判定部の処理を示すフローチャートである。
【図４】実施例１の制御部の処理を示すフローチャートである。
【図５】実施例１の多重処理部の処理を示すフローチャートである。
【図６】（ａ）は、実施例１において、４入力の場合のシリアル信号を説明する図である。（ｂ）は、実施例１において、２入力の場合のシリアル信号を説明する図である。（ｃ）は、実施例２において、２入力の場合のシリアル信号を説明する図である。
【図７】４入力及び２入力の場合における周波数帯域幅の違いを説明する図である。
【図８】シリアル信号にバースト誤りが発生した場合の例を説明する図である。
【図９】本発明の第３の実施形態（実施例３）による多重装置の構成を示すブロック図である。
【図１０】実施例３において、多重処理部の前段に設けられたインターリーブ回路の構成及び処理を説明する図である。
【図１１】実施例３において、多重処理部の前段に設けられたインターリーブ回路に入力されるデータ及びインターリーブ回路から出力されるデータの構成を説明する図である。
【図１２】本発明の第４の実施形態（実施例４）による多重装置の構成を示すブロック図である。
【図１３】実施例４において、多重処理部の後段に設けられたインターリーブ回路によるインターリーブ前後のデータの構成を説明する図である。
【図１４】本発明の第５の実施形態（実施例５）による多重装置の構成を示すブロック図である。
【図１５】本発明の第６の実施形態（実施例６）による多重装置の構成を示すブロック図である。
【図１６】実施例６において、多重処理部の前段に設けられた４つのインターリーブ回路によるインターリーブ後のデータの構成を説明する図である。
【図１７】実施例６において、多重処理部の後段に設けられたインターリーブ回路によるインターリーブ後のデータの構成を説明する図である。
【図１８】本発明の第７の実施形態（実施例７）による多重装置の構成を示すブロック図である。
【図１９】多重装置の入出力信号を説明する図である。
【図２０】４系統（ｎ＝４）の非圧縮映像信号を入力し、１系統（ｍ＝１）のシリアル信号に多重化する多重装置の入出力信号を説明する図である。
【図２１】図２０に示したｎ＝４，ｍ＝１の場合の入出力信号を詳細に説明する図である。
【図２２】シリアル信号の例を説明する図である。
【図２３】ビットレートを固定した従来の伝送方式を説明する図である。
【発明を実施するための形態】
【００４２】
以下、本発明を実施するための形態について図面を用いて詳細に説明する。
図１は、本発明の実施形態による多重装置を含む伝送システムの構成を示す概略図である。この伝送システムは、多重装置１、無線機２及び映像機器３により構成される。多重装置１は、映像機器３から４系統の非圧縮映像信号を入力し、４系統の非圧縮映像信号を多重化して１系統のシリアル信号を生成し、１系統のシリアル信号を無線機２へ出力する。図１は、４系統の非圧縮映像信号及び１系統のシリアル信号の例であり、多重装置１は、実際には、４系統の非圧縮映像信号の全てを常に入力するとは限らない。
【００４３】
無線機２は、例えばシングルキャリアの無線機であり、多重装置１から１系統のシリアル信号を入力し、シリアル信号に所定の変調処理等を施し、変調信号を所定の中心周波数ｆｃにて周波数変換し、シリアル信号のボーレートに応じた周波数帯域幅にて、周波数変換後の信号を無線伝送する。
【００４４】
以下、図１に示した多重装置１について、実施例を挙げて詳細に説明する。本発明の第１の実施形態（実施例１）は、複数系統の非圧縮映像信号をシリアル信号に多重化する際に、非圧縮映像信号の系統数の減少に伴い、スタッフィングデータを付加することなく、入力した非圧縮映像信号を多重化し、シリアル信号のボーレートを低下させることを特徴とする。これにより、無線機から送信される信号の周波数帯域幅は、シリアル信号のボーレートの低下に伴って狭くなるから、非圧縮映像信号の系統数が減少した場合に、無線伝送における単位周波数あたりの伝送効率の低下を抑制することができる。
【００４５】
また、本発明の第２の実施形態（実施例２）は、複数系統の非圧縮映像信号をシリアル信号に多重化する際に、非圧縮映像信号の系統数の減少に伴い、入力した非圧縮映像信号を多重化すると共に、スタッフィングデータを付加する代わりに、入力した同じ非圧縮映像信号をさらに多重化し、元の系統数の非圧縮映像信号に対応したボーレートと同じボーレートのシリアル信号を生成することを特徴とする。これにより、無線機から送信される信号の周波数帯域幅は、元の系統数の非圧縮映像信号が送信される場合と同じになるが、同じ非圧縮映像信号が送信されるから、無線伝送における単位周波数あたりの伝送効率の低下を抑制することができる。また、同じ非圧縮映像信号が重複して送信されるから、伝送誤り特性を改善することができる。
【００４６】
また、本発明の第３の実施形態（実施例３）は、実施例１または実施例２において、多重処理を行う前に、非圧縮映像信号のチャンネル（系統）単独にて（チャンネル内で）、ラインを跨いだインターリーブを行うことを特徴とする。これにより、実施例１または実施例２の効果に加え、非圧縮映像信号のチャンネル内において、１ラインのデータをラインを跨いで分散させることができるから、連続的な誤りであるバースト誤りへの耐性を向上させることができる。
【００４７】
また、本発明の第４の実施形態（実施例４）は、実施例１または実施例２において、多重処理を行った後に、非圧縮映像信号のチャンネルを跨いだインターリーブを行うことを特徴とする。これにより、実施例１または実施例２の効果に加え、非圧縮映像信号の１ラインのデータを、チャンネルを跨いで分散させることができるから、バースト誤りへの耐性を向上させることができる。
【００４８】
また、本発明の第５の実施形態（実施例５）は、実施例１または実施例２において、実施例４と同じインターリーブを実現するものであり、多重処理を行った後に非圧縮映像信号のチャンネルを跨いだインターリーブを行う代わりに、当該インターリーブを実現するように、入力した非圧縮映像信号を多重化することを特徴とする。これにより、実施例４の効果に加え、インターリーブ回路が不要になるから、回路規模を小さくすることができる。
【００４９】
また、本発明の第６の実施形態（実施例６）は、実施例３及び実施例４を結合したものであり、実施例１または実施例２において、多重処理を行う前に、非圧縮映像信号のチャンネル単独にてラインを跨いだインターリーブを行い、さらに、多重処理を行った後に、非圧縮映像信号のチャンネルを跨いだインターリーブを行うことを特徴とする。これにより、実施例３〜５に比べ、バースト誤りへの耐性を一層向上させることができる。
【００５０】
また、本発明の第７の実施形態（実施例７）は、実施例３及び実施例５を結合したものであり、多重処理を行う前に、非圧縮映像信号のチャンネル単独にてラインを跨いだインターリーブを行い、さらに、多重処理を行った後に非圧縮映像信号のチャンネルを跨いだインターリーブ（実施例４のインターリーブ）を実現するように、入力した非圧縮映像信号を多重化することを特徴とする。これにより、回路規模を小さくすることができると共に、バースト誤りへの耐性を一層向上させることができる。
【００５１】
〔実施例１〕
まず、実施例１について説明する。実施例１は、前述のとおり、複数系統の非圧縮映像信号をシリアル信号に多重化する際に、非圧縮映像信号の系統数の減少に伴い、スタッフィングデータを付加することなく、入力した非圧縮映像信号を多重化し、シリアル信号のボーレートを低下させることを特徴とする。
【００５２】
図２は、実施例１の多重装置１の構成を示すブロック図である。この実施例１の多重装置１−１は、信号判定部１１、制御部１２−１、ＰＬＬ（Phase Locked Loop：位相同期ループ）回路１３及び多重処理部１４−１を備えている。
【００５３】
信号判定部１１は、入力信号である非圧縮映像信号１〜４の各チャンネル（各系統）について、非圧縮映像信号１〜４が存在するか否か（入力が有るか無いか）を判定し、非圧縮映像信号１〜４のチャンネル毎の入力有無情報を生成し、入力有無情報を制御部１２−１に出力する。
【００５４】
図３は、信号判定部１１の処理を示すフローチャートである。信号判定部１１は、入力信号である非圧縮映像信号１〜４の各チャンネルについて、同期信号であるＴＲＳ（Timing Reference Signal）が存在するかを否か判定する（ステップＳ３０１）。
【００５５】
信号判定部１１は、ステップＳ３０１において、ＴＲＳが存在すると判定した場合（ステップＳ３０１：Ｙ）、当該チャンネルについて入力有りを判断する（ステップＳ３０２）。一方、信号判定部１１は、ステップＳ３０１において、ＴＲＳが存在しないと判定した場合（ステップＳ３０１：Ｎ）、当該チャンネルについて入力無しを判断する（ステップＳ３０３）。
【００５６】
信号判定部１１は、ステップＳ３０２及びステップＳ３０３から移行して、非圧縮映像信号１〜４のチャンネル毎の入力有無情報を生成し、入力有無情報を制御部１２に出力する（ステップＳ３０４）。
【００５７】
例えば、信号判定部１１は、非圧縮映像信号１，２のチャンネルについて、ＴＲＳが存在すると判定した場合、これらのチャンネルについて入力有りを判断し、非圧縮映像信号３，４のチャンネルについて、ＴＲＳが存在しないと判定した場合、これらのチャンネルについて入力無しを判断する。そして、信号判定部１１は、各チャンネルについて、非圧縮映像信号１，２が存在し、非圧縮映像信号３，４が存在しないことを示す入力有無情報を生成する。
【００５８】
図２に戻って、制御部１２−１は、信号判定部１１から入力有無情報を入力し、予め設定された多重方式情報及び入力した入力有無情報に基づいて、シリアル信号のボーレートを決定し、そのボーレートに対応する制御信号（そのボーレートに対応するクロック信号をＰＬＬ回路１３にて生成させるための制御信号）を生成し、制御信号をＰＬＬ回路１３に出力する。また、制御部１２−１は、予め設定された多重方式情報及び入力した入力有無情報を多重処理部１４−１に出力する。多重方式情報は、多重処理部１４−１における多重化の処理方式が定義された情報である。
【００５９】
図４は、制御部１２−１の処理を示すフローチャートである。制御部１２−１は、信号判定部１１から入力有無情報を入力し（ステップＳ４０１）、入力有無情報が入力有りを示しているチャンネルの数（非圧縮映像信号の数）を、入力信号数として求める（ステップＳ４０２）。
【００６０】
制御部１２−１は、予め設定された多重方式情報、及びステップＳ４０２にて求めた入力信号数に基づいて、多重処理部１４−１において多重化により生成されるシリアル信号のボーレートを決定する（ステップＳ４０３）。
【００６１】
ここで、実施例１において、予め設定された多重方式情報は、スタッフィングデータを付加することなく、入力した非圧縮映像信号のみをフレーム単位またはライン単位に多重化することを示す情報であるものとする。
【００６２】
例えば、制御部１２−１は、入力する非圧縮映像信号の最大数を４とし、ステップＳ４０２にて求めた入力信号数を２とし、非圧縮映像信号１〜４のそれぞれのボーレートを１．５Ｇｂｐｓとすると、多重処理部１４−１において２つの非圧縮映像信号が多重化により生成されるシリアル信号のボーレートとして、１．５×２＝３Ｇｂｐｓを決定する。この場合、入力信号数を４とすると、制御部１２−１は、１．５×４＝６Ｇｂｐｓを決定する。つまり、シリアル信号のボーレートは、入力信号数に比例した値に決定される。入力信号数が減少した場合、ボーレートは低下するように決定され、入力信号数が増加した場合、ボーレートは上昇するように決定される。
【００６３】
制御部１２−１は、ステップＳ４０３にて決定したボーレートに対応する制御信号を生成し、制御信号をＰＬＬ回路１３に出力する（ステップＳ４０４）。また、制御部１２−１は、予め設定された多重方式情報及びステップＳ４０１にて入力した入力有無情報を多重処理部１４−１に出力する（ステップＳ４０５）。
【００６４】
図２に戻って、ＰＬＬ回路１３は、制御部１２−１から制御信号を入力し、ＰＬＬにより、制御信号に応じたクロック信号を生成し、クロック信号を多重処理部１４−１に出力する。これにより、入力信号数に応じたボーレートのシリアル信号を生成するためのクロック信号が生成される。クロック信号の周波数は、入力信号数が大きいほど高くなり、入力信号数が小さいほど低くなる。
【００６５】
多重処理部１４−１は、制御部１２−１から多重方式情報及び入力有無情報を入力すると共に、ＰＬＬ回路１３からクロック信号を入力し、非圧縮映像信号１〜４のうち入力有無情報が示す非圧縮映像信号を入力する。そして、多重処理部１４−１は、多重方式情報に従って、入力した非圧縮映像信号を多重化し、クロック信号に基づいて、制御部１２−１により決定されたボーレートのシリアル信号を生成し、シリアル信号を後段の無線機２へ出力する。
【００６６】
図５は、多重処理部１４−１の処理を示すフローチャートである。多重処理部１４−１は、制御部１２−１から多重方式情報及び入力有無情報を入力すると共に（ステップＳ５０１）、ＰＬＬ回路１３からクロック信号を入力する（ステップＳ５０２）。
【００６７】
多重処理部１４−１は、非圧縮映像信号１〜４のうち、入力有無情報が入力有りを示している非圧縮映像信号を入力し（ステップＳ５０３）、入力した非圧縮映像信号を対応するメモリにそれぞれ格納する（ステップＳ５０４）。
【００６８】
多重処理部１４−１は、多重方式情報が示す多重方式に従って、メモリから非圧縮映像信号を読み出し、スタッフィングデータを付加することなく多重化し（ステップＳ５０５）、クロック信号に基づいて、所定のボーレートのシリアル信号を生成する（ステップＳ５０６）。
【００６９】
多重処理部１４−１は、所定のボーレートのシリアル信号を後段の無線機２へ出力する（ステップＳ５０７）。これにより、入力信号数に比例したボーレートのシリアル信号が生成され、出力される。例えば、非圧縮映像信号１〜４が多重化された場合、１．５×４＝６Ｇｂｐｓのシリアル信号が生成され、非圧縮映像信号１，２のみが多重化された場合、１．５×２＝３Ｇｂｐｓのシリアル信号が生成される。
【００７０】
図６（ａ）は、実施例１において、４入力の場合（入力信号数が４の場合）のシリアル信号を説明する図であり、図６（ｂ）は、実施例１において、２入力の場合（入力信号数が２の場合）のシリアル信号を説明する図である。図６（ａ）（ｂ）において、変調方式情報は、スタッフィングデータを付加することなく、入力した非圧縮映像信号のみをフレーム単位に多重化することを示している。
【００７１】
図６（ａ）において、入力信号数が４の場合、シリアル信号は、非圧縮映像信号１〜４がフレーム単位で多重化された６Ｇｂｐｓの信号となる。非圧縮映像信号１について、１ライン目からｘライン目までの１フレームの信号が並べられ、その後、非圧縮映像信号２〜４について、それぞれ１フレームの信号が並べられている。
【００７２】
これに対し、図６（ｂ）において、入力信号数が２の場合、シリアル信号は、非圧縮映像信号１，２がフレーム単位で多重化された３Ｇｂｐｓの信号となり、図６（ａ）における入力信号数が４の場合よりもボーレートが１／２に低下している。非圧縮映像信号１について、１ライン目からｘライン目までの１フレームの信号が並べられ、その後、非圧縮映像信号２について１フレームの信号が並べられており、スタッフィングデータは付加されていない。
【００７３】
図６（ａ）（ｂ）に示したボーレートのシリアル信号は、図１に示したとおり、多重装置１から無線機２へ入力される。前述のとおり、無線機２は、多重装置１−１からシリアル信号を入力し、シリアル信号に変調処理等を施し、変調信号を所定の中心周波数ｆｃにて周波数変換し、シリアル信号のボーレートに応じた周波数帯域幅にて、周波数変換後の信号を無線伝送する。
【００７４】
図７は、４入力及び２入力の場合における周波数帯域幅の違いを説明する図である。無線機２が図６（ａ）に示した６Ｇｂｐｓのシリアル信号を入力した場合（４入力の場合）と、図６（ｂ）に示した３Ｇｂｐｓのシリアル信号を入力した場合（２入力の場合）とを比較すると、周波数帯域幅は、２入力の場合の方が４入力の場合よりも狭くなる。
【００７５】
以上のように、実施例１の多重装置１−１によれば、信号判定部１１は、各チャンネルについて、非圧縮映像信号１〜４が存在するか否かを判定し、非圧縮映像信号１〜４のチャンネル毎の入力有無情報を生成するようにした。そして、制御部１２−１は、予め設定された多重方式情報及び入力有無情報に基づいて、入力信号数に比例したボーレートを決定し、決定したボーレートに対応する制御信号を生成するようにした。
【００７６】
多重処理部１４−１は、非圧縮映像信号１〜４のうち入力有無情報が示す非圧縮映像信号を入力してメモリに格納し、多重方式情報に従って、メモリから非圧縮映像信号を読み出し、スタッフィングデータを付加することなくこれらを多重化し、制御信号に対応したクロック信号に基づいて、制御部１２−１により決定されたボーレートのシリアル信号を生成するようにした。
【００７７】
これにより、無線機２には、入力信号数に比例したボーレートのシリアル信号が入力され、そのボーレートに応じた周波数帯域幅にて、周波数変換後の信号が無線伝送される。周波数帯域幅は、入力信号数が減少した場合、その数に応じて狭くなる。
【００７８】
したがって、複数系統の非圧縮映像信号をシリアル信号に多重化する際に、非圧縮映像信号の系統数が減少した場合、無線伝送における単位周波数あたりの伝送効率の低下を抑制することができ、非圧縮映像信号の系統数に関わらず、効率的な伝送を実現することが可能となる。また、非圧縮映像信号の系統数が減少した場合、周波数帯域幅は狭くなり、ノイズの影響を受け難くなるから、周波数帯域幅を一定にした場合に比べ、伝送特性を向上させることができる。
【００７９】
〔実施例２〕
次に、実施例２について説明する。実施例２は、前述のとおり、複数系統の非圧縮映像信号をシリアル信号に多重化する際に、非圧縮映像信号の系統数の減少に伴い、入力した非圧縮映像信号を多重化すると共に、スタッフィングデータを付加する代わりに、入力した同じ非圧縮映像信号をさらに多重化し、元の系統数の非圧縮映像信号に対応したボーレートと同じボーレートのシリアル信号を生成することを特徴とする。
【００８０】
図２に示すとおり、実施例２の多重装置１−２は、信号判定部１１、制御部１２−２、ＰＬＬ回路１３及び多重処理部１４−２を備えている。実施例２の多重装置１−２において、実施例１の多重装置１−１と共通する部分には同一の符号を付し、その詳しい説明は省略する。
【００８１】
制御部１２−２は、信号判定部１１から入力有無情報を入力し、予め設定された多重方式情報（実施例１における制御部１２−１とは異なる多重方式情報）及び入力した入力有無情報に基づいて、シリアル信号のボーレートに対応する制御信号を生成し、制御信号をＰＬＬ回路１３に出力する。また、制御部１２−２は、入力した入力有無情報及び予め設定された多重方式情報を多重処理部１４−２に出力する。
【００８２】
ここで、実施例２において、予め設定された多重方式情報は、スタッフィングデータを付加することなく、最大数の非圧縮映像信号１〜４を入力したときと同じボーレートになるように、入力した非圧縮映像信号のみをフレーム単位またはライン単位に多重化することを示す情報であるものとする。
【００８３】
具体的には、制御部１２−２は、図４に示した実施例１のステップＳ４０１〜ステップＳ４０５の処理のうち、ステップＳ４０１、ステップＳ４０４及びステップＳ４０５と同じ処理を行い、ステップＳ４０２の処理を行わず、ステップＳ４０３とは異なる処理を行う。
【００８４】
制御部１２−２は、ステップＳ４０３において、予め設定された多重方式情報及び求めた入力信号数に基づいてシリアル信号のボーレートを決定する代わりに、実際の入力信号数に関わることなく最大の非圧縮映像信号１〜４を入力したとき（入力信号数が最大のとき）のボーレートを、常に一定のボーレートとして決定する。多重処理部１４−２の多重化により生成されるシリアル信号のボーレートは、入力信号数に関わることなく一定となる。
【００８５】
例えば、制御部１２−２は、入力する非圧縮映像信号１〜４の最大数を４とし、そのときのシリアル信号のボーレートを１．５×４＝６Ｇｂｐｓとした場合、入力信号数が２に減少したとしても、多重処理部１４−２において２つの非圧縮映像信号が多重化により生成されるシリアル信号のボーレートとして、３Ｇｂｐｓではなく６Ｇｂｐｓを決定する。つまり、シリアル信号のボーレートは、入力信号数に関わることなく一定に決定される。
【００８６】
多重処理部１４−２は、制御部１２−２から多重方式情報及び入力有無情報を入力すると共に、ＰＬＬ回路１３からクロック信号を入力し、非圧縮映像信号１〜４のうち入力有無情報が示す非圧縮映像信号を入力する。そして、多重処理部１４−２は、多重方式情報に従って、入力した非圧縮映像信号を多重化し、クロック信号に基づいて、非圧縮映像信号１〜４を入力したときと同じボーレートのシリアル信号を生成し、シリアル信号を後段の無線機２へ出力する。
【００８７】
具体的には、多重処理部１４−２は、図５に示した実施例１のステップＳ５０１〜ステップＳ５０７の処理のうち、ステップＳ５０１〜ステップＳ５０４、ステップＳ５０６及びステップＳ５０７と同じ処理を行い、ステップＳ５０５とは異なる処理を行う。
【００８８】
多重処理部１４−２は、ステップＳ５０５において、多重方式情報が示す多重方式に従って、メモリから非圧縮映像信号を読み出し、スタッフィングデータを付加することなくこれらを多重化する際に、読み出した非圧縮映像信号を多重化することに加え、読み出した同じ非圧縮映像信号を重複してさらに多重化する。
【００８９】
これにより、入力信号数が減少しても、最大の入力信号数と同じボーレートのシリアル信号であって、入力した非圧縮映像信号と同じ非圧縮映像信号が重複して多重化されたシリアル信号が生成される。
【００９０】
図６（ｃ）は、実施例２において、２入力の場合のシリアル信号を説明する図である。図６（ｃ）において、変調方式情報は、スタッフィングデータを付加することなく、最大数の非圧縮映像信号１〜４を入力したときと同じボーレートになるように、入力した非圧縮映像信号１，２のみをフレーム単位に多重化することを示している。
【００９１】
図６（ｃ）において、入力信号数が２の場合、シリアル信号は、非圧縮映像信号１，２がフレーム単位で多重化され、さらに同じ非圧縮映像信号１，２が多重化された６Ｇｂｐｓの信号となり、図６（ａ）における入力信号数が４の場合と同じボーレートの信号になる。多重処理部１４−２は、メモリから非圧縮映像信号１，２のフレームを読み出し、非圧縮映像信号１について、１ライン目からｘライン目までの１フレームの信号を並べ、非圧縮映像信号２について１フレームの信号を並べ、さらに、非圧縮映像信号１，２について同じ１フレームの信号をそれぞれ並べることで、６Ｇｂｐｓのシリアル信号を生成する。この場合、多重処理部１４−２は、スタッフィングデータを付加しない。
【００９２】
図６（ｃ）に示した一定のボーレートのシリアル信号は、多重装置１−２から無線機２へ入力される。これにより、無線機２から、入力信号数に関わることなく、常に一定の周波数帯域幅にて、周波数変換後の信号が無線伝送される。
【００９３】
以上のように、実施例２の多重装置１−２によれば、信号判定部１１は、実施例１と同様に、各チャンネルについて、非圧縮映像信号１〜４が存在するか否かを判定し、非圧縮映像信号１〜４のチャンネル毎の入力有無情報を生成するようにした。そして、制御部１２−２は、予め設定された多重方式情報及び入力有無情報に基づいて、最大の入力信号数のときのボーレートを、常に一定のボーレートとして決定し、当該ボーレートに対応する制御信号を生成するようにした。
【００９４】
多重処理部１４−２は、非圧縮映像信号１〜４のうち入力有無情報が示す非圧縮映像信号を入力してメモリに格納し、多重方式情報に従って、メモリから非圧縮映像信号を読み出し、スタッフィングデータを付加することなく多重化する際に、読み出した非圧縮映像信号を多重化することに加え、読み出した同じ非圧縮映像信号を重複してさらに多重化し、最大の入力信号数のときと同じボーレートのシリアル信号を生成するようにした。
【００９５】
これにより、無線機２には、入力信号数に関わらず一定のボーレートのシリアル信号が入力され、一定の周波数帯域幅にて、周波数変換後の信号が無線伝送される。周波数帯域幅は、最大数の非圧縮映像信号が送信される場合と同じになるが、同じ非圧縮映像信号が重複して送信されるから、無線伝送における単位周波数あたりの伝送効率が低下することはない。
【００９６】
したがって、複数系統の非圧縮映像信号をシリアル信号に多重化する際に、非圧縮映像信号の系統数が減少した場合、無線伝送における単位周波数あたりの伝送効率の低下を抑制することができ、非圧縮映像信号の系統数に関わらず、効率的な伝送を実現することが可能となる。また、同じ非圧縮映像信号が重複して送信されるから、誤り訂正処理を用いることなく、伝送誤り特性を改善することが可能となる。さらに、誤り訂正処理が不要になるから、受信側は、これに伴うバッファリングが不要となり、遅延を小さくすることができる。
【００９７】
〔バースト誤り〕
前述の実施例１，２では、非圧縮映像信号の系統数が減少した場合に、無線伝送における単位周波数あたりの伝送効率の低下を抑制可能な例について説明した。後述の実施例３〜７では、さらに、連続的な誤りであるバースト誤りにも対応可能な例について説明する。後述の実施例３〜７は、伝送する非圧縮映像信号のチャンネル内でラインを跨いでデータを並び替えるインターリーブ、または／及びチャンネルを跨いでデータを並び替えるインターリーブを行うことにより、伝送誤りを分散させてバースト誤りに対する耐性を向上させるものである。
【００９８】
一般に、非圧縮映像信号は、伝送時のビットエラーを想定していないため、無線伝送による伝送誤りに対する耐性を有していない。例えば、非圧縮映像信号がＨＤ−ＳＤＩ信号の場合、標準的な同軸ケーブルを用いると、ＨＤ−ＳＤＩ信号をＢＥＲ＝１０-10以下で伝送することができる。伝送誤りに対応するために誤り訂正符号化を行う場合、符号化率（ペイロードとパリティの比率）に応じて、伝送するデータ量が増大してしまう。
【００９９】
そこで、前述の特許文献２の手法では、非圧縮映像信号を無線伝送する際に、その補助データ領域に誤り訂正符号を格納することで、データレートを増加させることなく誤り訂正を実現する。この手法によれば、誤り訂正符号化による伝送レートの上昇を抑えつつ、非圧縮映像信号の核となる同期信号及び映像信号の無線伝送における誤りを訂正することができる。
【０１００】
しかしながら、この手法では、ＲＳ（リードソロモン）符号のような同一時刻のデータでパリティを生成する符号化を行うため、無線伝送による伝送誤りのうちランダム誤りに対する耐性のみを有する。
【０１０１】
一般の無線伝送では、伝送環境の影響によってバースト的（連続的）に伝送誤りが生じることがある。無線伝送による伝送誤りに対する耐性を向上させ、伝送特性を改善するためには、バースト誤りに対する対策が有効である。実施例３〜７は、このような課題を解決する例である。
【０１０２】
図８は、シリアル信号にバースト誤りが発生した場合の例について説明する図である。この例は、４系統の非圧縮映像信号１〜４がライン単位で多重化されたシリアル信号の伝送例を示している。バースト誤りは、連続的に誤りが発生する現象であり、バースト誤りが発生すると、図８に示すように、伝送エラーが生じる。無線伝送時にバースト誤りが発生すると、受信側において、非圧縮映像信号１〜４のフレームの一部または全部を再生することができない。
【０１０３】
図８では、非圧縮映像信号２，３の２ライン目の箇所に、バースト誤りが発生している。このため、受信側において、非圧縮映像信号２，３の２ライン目のデータの多くを再生することができない。
【０１０４】
このようなバースト誤りに対応するために、前述の特許文献２の手法にて、誤り訂正符号化を行うことが想定される。しかし、誤り訂正符号化の手法では、誤り訂正能力の限界を超える時間長のバースト誤りには対応することができない。例えば、ＲＳ（２５５，２３９）の誤り訂正符号化では、８バイトまでのデータを訂正することが可能であるが、８バイトに相当する極めて短時間のバースト誤りにしか対応することができない。
【０１０５】
そこで、誤り訂正符号化では対応することができない一定時間連続的に発生するバースト誤りに対応するために、後述の実施例３〜７ではインターリーブを行う。複数系統の非圧縮映像信号をインターリーブの対象とすることから、インターリーブは、以下の２種類を想定する。
（１）チャンネル単独（チャンネル内）にて、ラインを跨いだインターリーブ
（２）チャンネルを跨いだインターリーブ
前記（１）は、多重処理の前に行われ、前記（２）は、多重処理の後または多重処理の中で行われる。このようなインターリーブにより、伝送誤りを分散させてバースト誤りに対する耐性を向上させることができ、無線伝送におけるバースト的な伝送誤りの影響を軽減することができる。
【０１０６】
後述の実施例３は、前記（１）のインターリーブを行い、後述の実施例４は、前記（２）のインターリーブを行い、後述の実施例５は、前記（２）のインターリーブと同じ処理を多重処理にて行う。また、後述の実施例６は、前記（１）（２）のインターリーブを行い、後述の実施例７は、前記（１）のインターリーブを行うと共に、前記（２）のインターリーブと同じ処理を多重処理にて行う。
【０１０７】
〔実施例３〕
次に、実施例３について説明する。実施例３は、前述のとおり、実施例１または実施例２において、多重処理を行う前に、非圧縮映像信号のチャンネル単独にて（チャンネル内で）、ラインを跨いだインターリーブを行うことを特徴とする。
【０１０８】
図９は、実施例３の多重装置１の構成を示すブロック図である。この実施例３の多重装置１−３は、信号判定部１１、制御部１２、ＰＬＬ回路１３、多重処理部１４及びインターリーブ回路１５−１〜１５−４を備えている。
【０１０９】
信号判定部１１は、図２に示した信号判定部１１と同じ処理を行う。制御部１２は、当該実施例３が実施例１を前提とする場合、図２に示した制御部１２−１と同じ処理を行い、当該実施例３が実施例２を前提とする場合、制御部１２−２と同じ処理を行う。ＰＬＬ回路１３は、図２に示したＰＬＬ回路１３と同じ処理を行う。
【０１１０】
多重処理部１４は、後述するインターリーブ回路１５−１〜１５−４からインターリーブ後の非圧縮映像信号１〜４をそれぞれ入力する。そして、多重処理部１４は、当該実施例３が実施例１を前提とする場合、図２に示した多重処理部１４−１と同じ処理を行い、当該実施例３が実施例２を前提とする場合、多重処理部１４−２と同じ処理を行う。
【０１１１】
インターリーブ回路１５−１〜１５−４は、非圧縮映像信号１〜４をそれぞれ入力し、非圧縮映像信号１〜４のチャンネル単独にて、ラインを跨いだインターリーブを行う。つまり、インターリーブ回路１５−１〜１５−４は、それぞれ１系統の非圧縮映像信号１〜４にてインターリーブを完結させる。
【０１１２】
図１０は、インターリーブ回路１５−１の構成及び処理を説明する図である。インターリーブ回路１５−２〜１５−４の構成及び処理も、図１０に示すインターリーブ回路１５−１と同じである。非圧縮映像信号１としてＨＤ−ＳＤＩ信号の例を示している。このインターリーブ回路１５−１は、ＨＤ−ＳＤＩ信号である非圧縮映像信号１を入力し、同一のチャンネル内で、ラインを跨いだインターリーブ（ラインに含まれるデータを異なるラインに配置するインターリーブ）を行い、インターリーブ後の非圧縮映像信号１を多重処理部１４に出力する。
【０１１３】
インターリーブ回路１５−１は、Ｌ−１個の遅延回路２１−１，２１−２〜２１−（Ｌ−１）、及びスイッチ回路２２を備えている。Ｌは２以上の正の整数であり、例えば、総ライン数を所定の正の整数で除算した結果が用いられる。ここで、ＨＤ−ＳＤＩ信号である非圧縮映像信号１は、複数のラインにより構成され、各ラインは、１０ビットを１ワードとした２２００ワードのデータにより構成される。
【０１１４】
インターリーブ回路１５−１の遅延回路２１−１は、所定速度の時系列の非圧縮映像信号１を１ワード単位に入力し、入力した非圧縮映像信号１を１ライン分に相当する時間期間（２２００ワードに相当する時間期間）保持する。そして、遅延回路２１−１は、１ライン分に相当する時間期間遅延した非圧縮映像信号１を、１ワード単位に出力する。
【０１１５】
遅延回路２１−２は、所定速度の時系列の非圧縮映像信号１を１ワード単位に入力し、入力した非圧縮映像信号１を２ライン分に相当する時間期間（２２００×２＝４４００ワードに相当する時間期間）保持する。そして、遅延回路２１−２は、２ライン分に相当する時間期間遅延した非圧縮映像信号１を、１ワード単位に出力する。
【０１１６】
同様に、遅延回路２１−（Ｌ−１）は、所定速度の時系列の非圧縮映像信号１を１ワード単位に入力し、入力した非圧縮映像信号１をＬ−１ライン分に相当する時間期間（２２００×（Ｌ−１）ワードに相当する時間期間）保持する。そして、遅延回路２１−（Ｌ−１）は、Ｌ−１ライン分に相当する時間期間遅延したワード単位の非圧縮映像信号１を、１ワード単位に出力する。
【０１１７】
このように、Ｌ−１個の遅延回路２１−１〜２１−（Ｌ−１）であるバッファにより、ライン単位に遅延した非圧縮映像信号１が保持され、ライン単位に遅延した非圧縮映像信号１がワード単位に出力される。
【０１１８】
スイッチ回路２２は、非圧縮映像信号１（遅延していない非圧縮映像信号１）を入力すると共に、遅延回路２１−１〜２１−（Ｌ−１）からライン単位に遅延した非圧縮映像信号１を入力する。そして、スイッチ回路２２は、予め設定された並び替え規則（ラインを跨いだ並び替え規則）に従って、非圧縮映像信号１のチャンネル単独にて、ラインを跨いだインターリーブを行い、インターリーブ後の非圧縮映像信号１を多重処理部１４に出力する。
【０１１９】
例えば、スイッチ回路２２は、スイッチ構造の切り替え回路により構成されており、予め設定された並び替え規則（ラインを跨いだ１ワード単位の並び替え規則）に従って、所定速度の時系列の非圧縮映像信号１における１ワードに相当する速度にてスイッチを切り替えることにより、遅延していない非圧縮映像信号１、１ライン分に相当する時間期間遅延した非圧縮映像信号１、２ライン分に相当する時間期間遅延した非圧縮映像信号１、・・・、及びＬ−１ライン分に相当する時間期間遅延した非圧縮映像信号１における１ワード長のデータを順次入力して出力する。これにより、非圧縮映像信号１は、チャンネル内のラインを跨いで１ワード単位に並び替えられる。
【０１２０】
また、スイッチ回路２２は、並び替え規則がラインを跨いだ２ワード単位の並び替えを示している場合、所定速度の時系列の非圧縮映像信号１における２ワードに相当する速度にてスイッチを切り替える。これにより、スイッチは、並び替え規則が示す単位長に従った速度で切り替わり、当該速度に応じたインターリーブ長の非圧縮映像信号１が出力される。
【０１２１】
図１１は、インターリーブ回路１５−１に入力されるデータ及び当該インターリーブ回路１５−１から出力されるデータの構成を説明する図である。この例は、並び替え規則がラインを跨いだ１ワード単位の並び替えの場合を示しており、インターリーブ回路１５−１によるスイッチの切り替え速度は、所定速度の時系列の非圧縮映像信号１における１ワードに相当する速度である。非圧縮映像信号１の各ラインのデータは、１ワード単位にＤ0，Ｄ1，・・・，ＤL-1，ＤL，ＤL+1，・・・，Ｄ2198，Ｄ2199からなるものとする。
【０１２２】
データ列０は、遅延することなく出力される非圧縮映像信号１、データ列１は、遅延回路２１−１により１ライン分遅延して出力される非圧縮映像信号１、データ列２は、遅延回路２１−２により２ライン分遅延して出力される非圧縮映像信号１、データ列Ｌ−１は、遅延回路２１−（Ｌ−１）によりＬ−１ライン分遅延して出力される非圧縮映像信号１をそれぞれ示す。
【０１２３】
非圧縮映像信号１のデータＤ0，Ｄ1，・・・，ＤL-1，ＤL，ＤL+1，・・・，Ｄ2198，Ｄ2199が、１ライン目からｘライン目まで順番にライン毎にインターリーブ回路１５−１へ入力され、データ列１〜Ｌ−１が、遅延回路２１−１〜２１−（Ｌ−１）にそれぞれ格納される。そして、インターリーブ回路１５−１のスイッチ回路２２は、予め設定された並び替え規則に従って、非圧縮映像信号１の１ワードに相当する速度にてスイッチを切り替えることにより、データ列０のデータＤ0、データ列１のデータＤ1、データ列２のデータＤ2、・・・、及びデータ列Ｌ−１のデータＤL-1を順次出力する。そして、スイッチ回路２２は、データ列０のデータＤL、データ列１のデータＤL+1、データ列２のデータＤL+2、・・・、及びデータ列Ｌ−１のデータＤ2L-1を順次出力する。
【０１２４】
例えば、データ列０がｘライン目のデータ、データ列１がｘ−１ライン目のデータ、データ列２がｘ−２ライン目のデータ、・・・、データ列Ｌ−１がｘ−（Ｌ−１）ライン目のデータとすると、インターリーブ回路１５−１から、ｘライン目のデータＤ0、ｘ−１ライン目のデータＤ1、ｘ−２ライン目のデータＤ2、・・・、及びｘ−（Ｌ−１）ライン目のデータＤL-1が順番に出力される。
【０１２５】
このように、インターリーブ回路１５−１により、予め設定された並び替え規則に従って、非圧縮映像信号１のライン毎のデータが１ワード単位に区切られ、非圧縮映像信号１の連続するラインの信号について、異なるラインのデータと交差するようにインターリーブが行われる。
【０１２６】
これにより、図１０に示したとおり、遅延回路２１−１〜２１−（Ｌ−１）であるＬ−１ライン分のバッファを用いて、スイッチ回路２２にて、Ｌ個のラインを単位としたインターリーブが行われる。このため、インターリーブ前の非圧縮映像信号１は、連続的にデータが並べられていたが、インターリーブ後の非圧縮映像信号１は、１ライン内で、連続したデータが２２００／Ｌ個のデータに分散することになる。
【０１２７】
以上のように、実施例３の多重装置１−３によれば、実施例１，２の構成に加え、多重処理部１４の前段にインターリーブ回路１５−１〜１５−４を備えるようにし、インターリーブ回路１５−１〜１５−４は、多重処理部１４が多重処理を行う前に、非圧縮映像信号１〜４のそれぞれについて、チャンネル単独にて、ラインを跨いだインターリーブを行う。
【０１２８】
これにより、実施例１または実施例２の効果に加え、非圧縮映像信号１〜４のそれぞれのチャンネル内において、１ラインのデータを、ラインを跨いで分散させることができるから、バースト誤りへの耐性を向上させることができる。
【０１２９】
〔実施例４〕
次に、実施例４について説明する。実施例４は、前述のとおり、実施例１または実施例２において、多重処理を行った後に、非圧縮映像信号のチャンネルを跨いだインターリーブを行うことを特徴とする。
【０１３０】
図１２は、実施例４の多重装置１の構成を示すブロック図である。この実施例４の多重装置１−４は、信号判定部１１、制御部１２、ＰＬＬ回路１３、多重処理部１４及びインターリーブ回路１６を備えている。
【０１３１】
信号判定部１１は、図２に示した信号判定部１１と同じ処理を行う。制御部１２は、当該実施例４が実施例１を前提とする場合、図２に示した制御部１２−１と同じ処理を行い、当該実施例４が実施例２を前提とする場合、制御部１２−２と同じ処理を行う。ＰＬＬ回路１３は、図２に示したＰＬＬ回路１３と同じ処理を行う。
【０１３２】
多重処理部１４は、非圧縮映像信号１〜４をそれぞれ入力する。そして、多重処理部１４は、当該実施例４が実施例１を前提とする場合、図２に示した多重処理部１４−１と同じ処理を行い、当該実施例４が実施例２を前提とする場合、多重処理部１４−２と同じ処理を行い、シリアル信号をインターリーブ回路１６に出力する。
【０１３３】
インターリーブ回路１６は、多重処理部１４からシリアル信号を入力し、非圧縮映像信号１〜４のチャンネルを跨いだインターリーブ（所定チャンネルの非圧縮映像信号のラインに含まれるデータを、当該データのチャンネルとは異なるチャンネルに配置するインターリーブ）を行い、インターリーブ後のシリアル信号を無線機２へ出力する。
【０１３４】
図１３は、インターリーブ回路１６によるインターリーブ前後のデータの構成を説明する図である。図１３（ａ）は、インターリーブ前のシリアル信号の例を示し、図１３（ｂ）は、インターリーブ後のシリアル信号の例を示す。
【０１３５】
インターリーブ回路１６は、図１３（ａ）に示すように、１ライン目の非圧縮映像信号１〜４を順番に入力してメモリに格納し、２ライン目の非圧縮映像信号１〜４を順番に入力してメモリに格納し、・・・、ｘライン目の非圧縮映像信号１〜４を順番に入力してメモリに格納する。そして、インターリーブ回路１６は、図１３（ｂ）に示すように、１ライン目の非圧縮映像信号１〜４のそれぞれについて、ワード単位に分割したデータをメモリからそれぞれ読み出し、ワード単位に非圧縮映像信号１〜４の順番に並べる。インターリーブ回路１６は、２ライン目からｘライン目までの非圧縮映像信号１〜４についても同様の処理を行う。
【０１３６】
これにより、４チャンネル分の１ライン目のデータがチャンネルを跨いでワード単位に並び替えられる。２ライン目からｘライン目までのデータについても同様である。インターリーブの深さは、チャンネル数である入力系統数ｎと同一となる。このため、インターリーブ前の非圧縮映像信号１〜４のそれぞれにおける同一ラインのデータは、距離を１として連続的に並べられていたが、インターリーブ後の非圧縮映像信号１〜４のそれぞれにおける同一ラインのデータは、距離をｎに分散することができる。
【０１３７】
以上のように、実施例４の多重装置１−４によれば、実施例１，２の構成に加え、多重処理部１４の後段にインターリーブ回路１６を備えるようにし、インターリーブ回路１６は、多重処理部１４が多重処理を行った後のシリアル信号に対し、非圧縮映像信号１〜４のそれぞれについて、チャンネルを跨いだインターリーブを行う。
【０１３８】
これにより、実施例１または実施例２の効果に加え、非圧縮映像信号１〜４のそれぞれにおける１ラインのデータを、チャンネルを跨いで分散させることができるから、バースト誤りへの耐性を向上させることができる。
【０１３９】
〔実施例５〕
次に、実施例５について説明する。実施例５は、前述のとおり、実施例１または実施例２において、実施例４と同じインターリーブを実現するものであり、多重処理を行った後に非圧縮映像信号のチャンネルを跨いだインターリーブを行う代わりに、当該インターリーブを実現するように、入力した非圧縮映像信号を多重化することを特徴とする。
【０１４０】
図１４は、実施例５の多重装置１の構成を示すブロック図である。この実施例５の多重装置１−５は、信号判定部１１、制御部１７、ＰＬＬ回路１３及び多重処理部１８を備えている。信号判定部１１及びＰＬＬ回路１３は、図２に示した信号判定部１１及びＰＬＬ回路１３と同じ処理を行う。
【０１４１】
制御部１７は、信号判定部１１から入力有無情報を入力し、予め設定された多重方式情報及び入力した入力有無情報に基づいて、シリアル信号のボーレートに対応する制御信号を生成し、制御信号をＰＬＬ回路１３に出力する。また、制御部１７は、予め設定された多重方式情報及び入力した入力有無情報を多重処理部１８に出力する。図２に示した制御部１２−１，１２−２と図１４の制御部１７とを比較すると、制御部１７は、制御部１２−１，１２−２とは異なる多重方式情報を用いる点で相違する。
【０１４２】
ここで、実施例５において、予め設定された多重方式情報は、実施例１を前提とする場合、スタッフィングデータを付加することなく、入力した非圧縮映像信号のみをフレーム単位またはライン単位に多重化すると共に、所定チャンネルの非圧縮映像信号のラインに含まれるデータを、当該データのチャンネルとは異なるチャンネルに配置するように多重化することを示す情報であるものとする。
【０１４３】
また、予め設定された多重方式情報は、実施例２を前提とする場合、スタッフィングデータを付加することなく、最大数の非圧縮映像信号１〜４を入力したときと同じボーレートになるように、入力した非圧縮映像信号のみをフレーム単位またはライン単位に多重化すると共に、所定チャンネルの非圧縮映像信号のラインに含まれるデータを、当該データのチャンネルとは異なるチャンネルに配置するように多重化することを示す情報であるものとする。
【０１４４】
多重処理部１８は、制御部１７から多重方式情報及び入力有無情報を入力すると共に、ＰＬＬ回路１３からクロック信号を入力し、非圧縮映像信号１〜４のうち入力有無情報が示す非圧縮映像信号を入力する。そして、多重処理部１８は、多重方式情報に従って、入力した非圧縮映像信号を多重化し、クロック信号に基づいて、所定のボーレートのシリアル信号を生成し、シリアル信号を後段の無線機２へ出力する。
【０１４５】
つまり、多重処理部１８は、図１２に示した実施例４の多重処理部１４及びインターリーブ回路１６を合わせた機能を有し、非圧縮映像信号１〜４のうち入力有無情報が示す非圧縮映像信号を入力してメモリに格納し、チャンネル間でデータが並び替えられるように定義された多重方式情報に従って、メモリから非圧縮映像信号を読み出し、スタッフィングデータを付加することなくこれらを多重化し、シリアル信号を生成する。多重処理部１８により生成されたシリアル信号は、図１２に示した実施例４のインターリーブ回路１６によりインターリーブされたシリアル信号と同じデータ構成となる。
【０１４６】
以上のように、実施例５の多重装置１−５によれば、多重処理部１８は、入力した非圧縮映像信号を多重化する際に、実施例１を前提とする場合、スタッフィングデータを付加することなく、入力した非圧縮映像信号のみをフレーム単位またはライン単位に多重化すると共に、所定チャンネルの非圧縮映像信号のラインに含まれるデータを、当該データのチャンネルとは異なるチャンネルに配置するように多重化し、実施例４と同じデータ構成のシリアル信号を生成するようにした。
【０１４７】
また、多重処理部１８は、実施例２を前提とする場合、スタッフィングデータを付加することなく、最大数の非圧縮映像信号１〜４を入力したときと同じボーレートになるように、入力した非圧縮映像信号のみをフレーム単位またはライン単位に多重化すると共に、所定チャンネルの非圧縮映像信号のラインに含まれるデータを、当該データのチャンネルとは異なるチャンネルに配置するように多重化し、実施例４と同じデータ構成のシリアル信号を生成するようにした。
【０１４８】
これにより、非圧縮映像信号１〜４のそれぞれにおける１ラインのデータを、チャンネルを跨いで分散させ、バースト誤りへの耐性を向上させることができるという実施例４と同様の効果を奏する。また、インターリーブ回路１６が不要になるから、回路規模を小さくすることができる。
【０１４９】
〔実施例６〕
次に、実施例６について説明する。実施例６は、前述のとおり、実施例３及び実施例４を結合したものであり、実施例１または実施例２において、多重処理を行う前に、非圧縮映像信号のチャンネル単独にてラインを跨いだインターリーブを行い、さらに、多重処理を行った後に、非圧縮映像信号のチャンネルを跨いだインターリーブを行うことを特徴とする。
【０１５０】
図９に示したチャンネル単独のインターリーブを行う実施例３において、図１０に示したように、非圧縮映像信号１〜４を構成する各ラインの信号が２２００ワードのデータにより構成され、インターリーブ回路１５−１〜１５−４に備えたスイッチ回路２２によるスイッチの切り替え速度が１ワードに相当する速度である場合を想定する。インターリーブ回路１５−１〜１５−４が遅延回路２１−１〜２１−（Ｌ−１）であるバッファを２２００−１ライン分備えることにより（Ｌ＝２２００）、１ライン分の各ワードのデータは、インターリーブにて他の全ての異なるラインへ配置される。これにより、インターリーブの効果は一層高くなり、バースト誤りの耐性を一層向上させることができる。
【０１５１】
しかし、インターリーブ回路１５−１〜１５−４が多くのバッファを備えるとすると、受信側のデインターリーブ回路も、多くのバッファを備える必要があり、多量のデータを保持することになる。これでは、遅延時間が長くなり、メモリ量が増大してしまう。
【０１５２】
一方で、図１２に示したチャンネルを跨いだインターリーブを行う実施例４において、インターリーブの深さが入力信号数に等しいことから、インターリーブの効果は、入力信号数に依存することになる。このため、入力信号数が少ない場合、十分なインターリーブの効果を得ることができない。
【０１５３】
そこで、実施例６では、実施例３及び実施例４を結合し、チャンネル単独のインターリーブとチャンネルを跨ぐインターリーブとを組み合わせることとし、遅延時間が長くなりメモリ量が増大するという問題、及び十分なインターリーブの効果を得ることができないという問題を解決するようにした。後述の実施例７も同様である。
【０１５４】
図１５は、実施例６の多重装置１の構成を示すブロック図である。この実施例６の多重装置１−６は、信号判定部１１、制御部１２、ＰＬＬ回路１３、多重処理部１４、インターリーブ回路１５−１〜１５−４及びインターリーブ回路１６を備えている。実施例６の多重装置１−６は、図９に示した実施例３の多重装置１−３の構成に、図１２に示した実施例４の多重装置１−４のインターリーブ回路１６を追加したものである。
【０１５５】
信号判定部１１、制御部１２、ＰＬＬ回路１３、多重処理部１４、インターリーブ回路１５−１〜１５−４及びインターリーブ回路１６は、図９に示した実施例３及び図１２に示した実施例４と同じであるから、ここでは説明を省略する。
【０１５６】
図１６は、多重処理部１４の前段に設けられたインターリーブ回路１５−１〜１５−４によるインターリーブ後のデータの構成を説明する図である。
【０１５７】
図１６において、インターリーブ回路１５−１の出力信号であるインターリーブ後の非圧縮映像信号１のデータ構成は、図１１と同じであり、データ列０のデータ1_Ｄ0、データ列１のデータ1_Ｄ1、データ列２のデータ1_Ｄ2、・・・、及びデータ列Ｌ−１のデータ1_ＤL-1からなるデータブロックＡ（１）が、インターリーブ回路１５−１から順次出力される。同様に、データ列０のデータ1_ＤL、データ列１のデータ1_ＤL+1、データ列２のデータ1_ＤL+2、・・・、及びデータ列Ｌ−１のデータ1_Ｄ2L-1からなるデータブロックＡ（２）が順次出力される。これにより、インターリーブ回路１５−１から、インターリーブ後の非圧縮映像信号１として、データブロックＡ（１），Ａ（２），・・・，Ａ（Ｎ）が出力される。Ｎは１以上の整数である。ここで、データブロックＡ（１），Ａ（２），・・・，Ａ（Ｎ）、後述のデータブロックＢ（１）等は、チャンネル単独のインターリーブを行う際のブロックを示す。
【０１５８】
インターリーブ回路１５−２の出力信号であるインターリーブ後の非圧縮映像信号２のデータ構成も、非圧縮映像信号１と同様であり、データ列０のデータ2_Ｄ0、データ列１のデータ2_Ｄ1、データ列２のデータ2_Ｄ2、・・・、及びデータ列Ｌ−１のデータ2_ＤL-1からなるデータブロックＢ（１）等が順次出力される。これにより、インターリーブ回路１５−２から、インターリーブ後の非圧縮映像信号２として、データブロックＢ（１），Ｂ（２），・・・，Ｂ（Ｎ）が出力される。
【０１５９】
インターリーブ回路１５−３，１５−４の出力信号であるインターリーブ後の非圧縮映像信号３，４のデータ構成も、非圧縮映像信号１と同様であり、図１６に示すとおりである。これにより、インターリーブ回路１５−３から、インターリーブ後の非圧縮映像信号３として、データブロックＣ（１），Ｃ（２），・・・，Ｃ（Ｎ）が出力され、インターリーブ回路１５−４から、インターリーブ後の非圧縮映像信号４として、データブロックＤ（１），Ｄ（２），・・・，Ｄ（Ｎ）が出力される。
【０１６０】
図１７は、多重処理部１４の後段に設けられたインターリーブ回路１６によるインターリーブ後のデータの構成を説明する図である。
【０１６１】
多重処理部１４により多重化されたシリアル信号を、データブロックＡ（１），Ａ（２），・・・，Ａ（Ｎ），Ｂ（１），Ｂ（２），・・・，Ｂ（Ｎ），Ｃ（１），Ｃ（２），・・・，Ｃ（Ｎ），Ｄ（１），Ｄ（２），・・・，Ｄ（Ｎ）とする。
【０１６２】
インターリーブ回路１６は、多重処理部１４から前述のシリアル信号を入力し、非圧縮映像信号１〜４のチャンネルを跨いだインターリーブを、データブロックＡ（１）等のブロック単位で行い、図１７に示すインターリーブ後のシリアル信号を無線機２へ出力する。
【０１６３】
インターリーブ後のシリアル信号は、図１７に示すとおり、データブロックＡ（１），Ｂ（１），Ｃ（１），Ｄ（１），Ａ（２），Ｂ（２），Ｃ（２），Ｄ（２），・・・，Ａ（Ｎ／４＋１），Ｂ（Ｎ／４＋１），Ｃ（Ｎ／４＋１），Ｄ（Ｎ／４＋１），・・・，Ａ（Ｎ），Ｂ（Ｎ），Ｃ（Ｎ），Ｄ（Ｎ）となる。
【０１６４】
以上のように、実施例６の多重装置１−６によれば、実施例３の構成に加え、多重処理部１４の後段にインターリーブ回路１６を備えるようにした。すなわち、実施例１，２の構成に加え、多重処理部１４の前段にインターリーブ回路１５−１〜１５−４を備え、多重処理部１４の後段にインターリーブ回路１６を備えるようにした。インターリーブ回路１５−１〜１５−４は、多重処理部１４が多重処理を行う前に、非圧縮映像信号１〜４のそれぞれについて、チャンネル単独にてラインを跨いだインターリーブを行う。インターリーブ回路１６は、多重処理部１４が多重処理を行った後のシリアル信号に対し、非圧縮映像信号１〜４のそれぞれについて、チャンネルを跨いだインターリーブを行う。
【０１６５】
これにより、実施例１または実施例２の効果に加え、非圧縮映像信号１〜４のそれぞれのチャンネル内において、１ラインのデータを、ラインを跨いで分散させることができ、また、非圧縮映像信号１〜４のそれぞれにおける１ラインのデータを、チャンネルを跨いで分散させることができるから、バースト誤りへの耐性を一層向上させることができる。
【０１６６】
〔実施例７〕
次に、実施例７について説明する。実施例７は、前述のとおり、実施例３及び実施例５を結合したものであり、多重処理を行う前に、非圧縮映像信号のチャンネル単独にてラインを跨いだインターリーブを行い、さらに、多重処理を行った後に非圧縮映像信号のチャンネルを跨いだインターリーブ（実施例４のインターリーブ）を実現するように、入力した非圧縮映像信号を多重化することを特徴とする。
【０１６７】
図１８は、実施例７の多重装置１の構成を示すブロック図である。この実施例７の多重装置１−７は、信号判定部１１、制御部１７、ＰＬＬ回路１３、多重処理部１８、インターリーブ回路１５−１〜１５−４を備えている。実施例７の多重装置１−７は、図１４に示した実施例５の多重装置１−５の構成に、図９に示した実施例３の多重装置１−３のインターリーブ回路１５−１〜１５−４を追加したものである。
【０１６８】
信号判定部１１、制御部１７、ＰＬＬ回路１３、多重処理部１８、インターリーブ回路１５−１〜１５−４は、図１４に示した実施例５及び図９に示した実施例３と同じであるから、ここでは説明を省略する。
【０１６９】
以上のように、実施例７の多重装置１−７によれば、実施例５の構成に加え、多重処理部１８の前段にインターリーブ回路１５−１〜１５−４を備えるようにした。すなわち、実施例１，２の構成において、制御部１２及び多重処理部１４の代わりに、制御部１７及び多重処理部１８を備え、多重処理部１８の前段にインターリーブ回路１５−１〜１５−４を備えるようにした。インターリーブ回路１５−１〜１５−４は、多重処理部１８が多重処理を行う前に、非圧縮映像信号１〜４のそれぞれについて、チャンネル単独にて複数のラインを跨ったインターリーブを行う。多重処理部１８は、予め設定された多重方式情報に従って、実施例１，２の多重化に加え、チャンネル間で並び替えを行うように多重化を行い、シリアル信号を生成する。
【０１７０】
これにより、実施例１または実施例２の効果に加え、非圧縮映像信号１〜４のそれぞれのチャンネル内において、１ラインのデータを、ラインを跨いで分散させることができ、また、インターリーブ回路１６を用いることなく、非圧縮映像信号１〜４のそれぞれにおける１ラインのデータを、チャンネルを跨いで分散させることができるから、回路規模を小さくすることができると共に、バースト誤りへの耐性を一層向上させることができる。
【０１７１】
以上、実施形態を挙げて本発明を説明したが、本発明は前記実施形態に限定されるものではなく、その技術思想を逸脱しない範囲で種々変形可能である。前記実施例１〜６では、無線機２をシングルキャリアの無線機として説明したが、本発明は、シングルキャリアの無線機に限定するものではなく、マルチキャリアの無線機であってもよい。要するに、無線機２は、多重装置１から入力するシリアル信号のボーレートに応じて周波数帯域幅が変化する（ボーレートが高い場合は周波数帯域幅が広くなり、ボーレートが低い場合は周波数帯域幅が狭くなる）装置であればよい。
【符号の説明】
【０１７２】
１，１００  多重装置（非圧縮映像信号多重装置）
２  無線機
３  映像機器
１１  信号判定部
１２，１７  制御部
１３  ＰＬＬ回路
１４，１８  多重処理部
１５，１６  インターリーブ回路
２１  遅延回路
２２  スイッチ回路
【図１】
2016076901.tif 000003
【図２】
2016076901.tif 000004
【図３】
2016076901.tif 000005
【図４】
2016076901.tif 000006
【図５】
2016076901.tif 000007
【図６】
2016076901.tif 000008
【図７】
2016076901.tif 000009
【図８】
2016076901.tif 000010
【図９】
2016076901.tif 000011
【図１０】
2016076901.tif 000012
【図１１】
2016076901.tif 000013
【図１２】
2016076901.tif 000014
【図１３】
2016076901.tif 000015
【図１４】
2016076901.tif 000016
【図１５】
2016076901.tif 000017
【図１６】
2016076901.tif 000018
【図１７】
2016076901.tif 000019
【図１８】
2016076901.tif 000020
【図１９】
2016076901.tif 000021
【図２０】
2016076901.tif 000022
【図２１】
2016076901.tif 000023
【図２２】
2016076901.tif 000024
【図２３】
2016076901.tif 000025